(57)【要約】【課題】表示対象期間において使用された電力の値が高い値であるか否かを容易に確認することができる表示方法、プログラム、分析システム及び管理システムを提供する。【解決手段】表示方法は、情報端末３が有する表示部３１に情報を表示する表示方法である。表示方法は、表示ステップを含む。表示ステップは、単位時間以上の時間長さを有する複数の表示対象期間を表示部３１に表示させ、かつ  複数の表示対象期間のうち使用された電力が目標値を超えた表示対象期間については、他の表示対象期間の表示態様とは異なる表示態様で表示部３１に表示させる。【選択図】図１
2020005425.tif 000002
【特許請求の範囲】
【請求項１】
情報端末が有する表示部に情報を表示する表示方法であって、
単位時間以上の時間長さを有する複数の表示対象期間を前記表示部に表示させ、かつ前記複数の表示対象期間のうち使用された電力が目標値を超えた表示対象期間については、他の表示対象期間の表示態様とは異なる表示態様で前記表示部に表示させる表示ステップを含む、
表示方法。
【請求項２】
前記表示ステップは、前記複数の表示対象期間を前記表示部に表示させる際に、前記複数の表示対象期間のそれぞれにおいて使用された電力の大きさを反映する情報は表示内容に含まない、
請求項１に記載の表示方法。
【請求項３】
前記表示対象期間は、日単位である、
請求項１又は２に記載の表示方法。
【請求項４】
前記表示対象期間は、複数の日のそれぞれを表す複数の日情報と、複数の時間のそれぞれを表す複数の時間情報との組み合わせであり、
前記表示ステップは、前記複数の日情報と前記複数の時間情報とを前記表示部にマトリックス表示させ、使用された電力が前記目標値を超えた時間帯については、他の時間帯の表示態様とは異なる表示態様で前記表示部に表示させる、
請求項１又は２に記載の表示方法。
【請求項５】
前記複数の日情報と前記複数の時間情報とがマトリックス表示される際に、前記複数の日情報と前記複数の時間情報との組み合わせのうち、使用された電力が前記目標値を超えた時間帯に応じた日情報と時間情報との組み合わせに相当するマトリックス上の位置における表示態様は、当該日情報が表す日における電力の使用の詳細表示のための画面へ遷移するためのリンクボタンとなっている、
請求項４に記載の表示方法。
【請求項６】
複数の表示対象期間が表示された画面において、所定の操作手順で画面遷移の操作が行われると、
前記表示ステップは、前記操作で指定された日における前記単位時間ごとに使用された電力の大きさを、時系列に並べて前記表示部に表示させる、
請求項１〜５のいずれか一項に記載の表示方法。
【請求項７】
前記表示ステップは、前記指定された日での前記単位時間ごとに使用された電力の大きさを表示する際に、前記指定された日を含む月において前記単位時間ごとに使用された電力に基づいて得られた標準ロードカーブを、前記表示部にさらに表示させる、
請求項６に記載の表示方法。
【請求項８】
前記操作手順で指定された日での前記単位時間ごとに使用された電力の大きさ、及び前記標準ロードカーブは、電力を使用する回路ごとに得られる、
請求項７に記載の表示方法。
【請求項９】
前記表示ステップは、所定の期間内において使用された電力量に基づいた複数の回路のランキングを、前記表示部にさらに表示させる、
請求項１〜８のいずれか一項に記載の表示方法。
【請求項１０】
前記所定の期間は、前記単位時間ごとのデマンド値に基づいて定められる期間である、
請求項９に記載の表示方法。
【請求項１１】
前記表示ステップは、前記所定の期間としての第１期間に含まれ、前記目標値を超える第２期間において使用された電力の電力情報の内訳を、前記表示部にさらに表示させる、
請求項９に記載の表示方法。
【請求項１２】
コンピュータに、
請求項１〜１１のいずれか一項に記載の表示方法を、
実行させるためのプログラム。
【請求項１３】
情報端末が有する表示部に情報を表示する分析システムであって、
施設に設けられた回路ごとに使用される電力が目標値を超えたか否かを分析する分析部と、
単位時間以上の時間長さを有する複数の表示対象期間を前記表示部に表示させ、かつ前記複数の表示対象期間のうち、使用された電力が目標値を超えた回路が存在する表示対象期間については、他の表示対象期間の表示態様とは異なる表示態様で前記表示部に表示させる表示制御部と、を備える、
分析システム。
【請求項１４】
請求項１３に記載の分析システムと、
施設で使用される電力を計測する計測システムと、を備える、
管理システム。
【発明の詳細な説明】
【技術分野】
【０００１】
本開示は、一般に表示方法、プログラム、分析システム及び管理システムに関し、より詳細には施設で使用された電力量に関する情報を表示する表示方法、プログラム、分析システム及び管理システムに関する。
【背景技術】
【０００２】
従来、各日の各デマンド時限のデマンド値を表示する技術がある（例えば、特許文献１）。
【０００３】
特許文献１では、電気料金請求期間の最初の日から最後の日まで日単位で、各日及び各デマンド時限のデマンド値が１つの画面であるデマンドカレンダーで表示される。
【先行技術文献】
【特許文献】
【０００４】
【特許文献１】特開２０１５−２１３４２９号公報
【発明の概要】
【発明が解決しようとする課題】
【０００５】
特許文献１では、複数の日分（例えば、３０日分）における各デマンド時限のデマンド値をデマンドカレンダーで表示する必要があるので、１日分に対する各デマンド時限のデマンド値の表示領域は小さくなる。そのため、デマンドカレンダーは大変見づらい状態で表示されるので、利用者がデマンドカレンダーを用いて日（表示対象期間）ごと又は一の日のデマンド時限（表示対象期間）ごとにデマンド値（使用された電力の値）が高い値であるか否かを容易に確認することができない。
【０００６】
本開示は上記課題に鑑みてなされ、表示対象期間において使用された電力の値が高い値であるか否かを容易に確認することができる表示方法、プログラム、分析システム及び管理システムを提供することを目的とする。
【課題を解決するための手段】
【０００７】
本開示の一態様に係る表示方法は、情報端末が有する表示部に情報を表示する表示方法である。前記表示方法は、表示ステップを含む。前記表示ステップは、単位時間以上の時間長さを有する複数の表示対象期間を前記表示部に表示させ、かつ前記複数の表示対象期間のうち使用された電力が目標値を超えた表示対象期間については、他の表示対象期間の表示態様とは異なる表示態様で前記表示部に表示させる。
【０００８】
本開示の一態様に係るプログラムは、コンピュータに、前記表示方法を、実行させるためのプログラムである。
【０００９】
本開示の一態様に係る分析システムは、情報端末が有する表示部に情報を表示する。前記分析システムは、分析部と、表示制御部とを備える。前記分析部は、施設に設けられた回路ごとに使用される電力が目標値を超えたか否かを分析する。前記表示制御部は、単位時間以上の時間長さを有する複数の表示対象期間を前記表示部に表示させ、かつ前記複数の表示対象期間のうち、使用された電力が目標値を超えた回路が存在する表示対象期間については、他の表示対象期間の表示態様とは異なる表示態様で前記表示部に表示させる。
【００１０】
本開示の一態様に係る管理システムは、前記分析システムと、施設で使用される電力を計測する計測システムと、を備える。
【発明の効果】
【００１１】
本開示によると、表示対象期間において使用された電力の値が高い値であるか否かを容易に確認することができる。
【図面の簡単な説明】
【００１２】
【図１】図１は、本開示の一実施形態に係る分析システムの構成を示すブロック図である。
【図２】図２は、同上の表示システムを含むシステムの構成図である。
【図３】図３は、同上の表示システムが表示するカレンダ画面の一例を示す図である。
【図４】図４は、同上の表示システムが表示する時限選択画面の一例を示す図である。
【図５】図５は、同上の表示システムが表示する動的分析画面の一例を示す図である。
【図６】図６は、同上の表示システムが表示する静的分析画面の一例を示す図である。
【図７】図７は、同上の表示システムが表示する動的分析画面の変形例を示す図である。
【発明を実施するための形態】
【００１３】
以下に説明する実施形態及び変形例は、本開示の一例に過ぎず、本開示は、実施形態及び変形例に限定されない。実施形態及び変形例以外であっても、本開示に係る技術的思想を逸脱しない範囲であれば、設計等に応じて種々の変更が可能である。
【００１４】
（実施形態）
以下、本実施形態に係る表示方法、プログラム、分析システム及び管理システムについて、図１〜図６を用いて説明する。
【００１５】
（１）概要
本実施形態では、施設で計測された電力を分析して、分析結果を表示する機能を、基本的な機能として有する分析システム１０、及び管理システム１０００について説明する。
【００１６】
本実施形態において、管理システム１０００は、図２に示すように、分析システム１０としての分析装置１と、計測システム２０とを含む。
【００１７】
本実施形態においては、コンピュータシステムが備える分析システム１０は、図１、図２に示すように、施設５が使用する電力を分析して、情報端末３に表示するコンテンツを作成する分析装置１にて構成される。ここでいう「施設」は、電力の供給を受けるビル等の施設を意味しており、電力会社等の電気事業者から電力の供給を受ける施設だけでなく、太陽光発電設備等の発電設備から電力の供給を受ける施設も含む。
【００１８】
施設５に設けられた計測システム２０は、施設５における電力の使用データ（使用電力量）を取得する。具体的には、計測システム２０は、施設５における複数の分岐回路について、使用電力量を使用データとして取得する。施設５における複数の分岐回路の各々には負荷機器５０が接続されている。負荷機器５０は、例えば施設５に設けられた機器であり、電力を使用する電気機器である。負荷機器５０は、例えば照明器具５０ａ〜５０ｃ、空調機器５０ｄ〜５０ｆ等である。
【００１９】
蓄積サーバ２は、計測システム２０にネットワーク４を介して接続される。蓄積サーバ２は、計測システム２０が計測した複数の分岐回路に対する計測値を分岐回路ごとに時系列に記憶している。
【００２０】
分析装置１は、図２に示すように、施設５に設けられた蓄積サーバ２にネットワーク４を介して接続される。また、分析装置１は、図２に示すように、表示部３１を備える情報端末３にネットワーク４を介して接続される。
【００２１】
情報端末３は、分析システム１０（分析装置１）で出力された情報（コンテンツ）を表示部３１に表示する。これにより、情報端末３は、分析システム１０で作成された情報（コンテンツ）を、情報端末３の所有者に対して提示することが可能となる。ここで、所有者は、例えば、施設５の管理者である。
【００２２】
（２）構成
次に、本実施形態に係る分析システム１０、計測システム２０、蓄積サーバ２及び情報端末３の構成について説明する。
【００２３】
（２．１）計測システム
まず、本実施形態の計測システム２０の構成について説明する。
【００２４】
計測システム２０は、図２に示すように、複数のコントローラ２１と、電流センサ２２〜２８とを備えている。また、施設５には、系統電源９に電気的に接続される受変電設備６１（キュービクル）が設けられている。なお、複数のコントローラ２１を個別に表す必要がある場合には、コントローラ２１ａ〜２１ｃと記載する。
【００２５】
複数のコントローラ２１は、少なくとも１つの電流センサに電気的に接続されている。具体的には、コントローラ２１ａは、電流センサ２２に電気的に接続されている。コントローラ２１ｂは、電流センサ２３〜２５に電気的に接続されている。コントローラ２１ｃは、電流センサ２６〜２８に電気的に接続されている。電流センサ２２は、受変電設備６１の一次側に設けられ、幹線を流れる電流の値を計測する。電流センサ２３〜２９は、複数の分岐ブレーカ６２に対応して設けられ、複数の分岐回路に流れる電流の値をそれぞれ計測する。ここでいう「分岐回路」は、受変電設備６１及び複数の分岐ブレーカ６２にて幹線から分岐された各回路を意味する。分岐回路には、分岐ブレーカ６２に接続される配線、照明器具や調理家電等の負荷機器５０、コンセント（アウトレット）、壁スイッチ等を含んでいる。なお、複数の分岐ブレーカ６２を個別に表す必要がある場合には、分岐ブレーカ６２ａ〜６２ｆと記載する。例えば、分岐ブレーカ６２ｃで分岐された分岐回路は、分岐ブレーカ６２ｃと照明器具５０ａ，５０ｂとを含む回路である。また、受変電設備６１で分岐された分岐回路は、受変電設備６１と分岐ブレーカ６２ａ，６２ｂの各々で分岐された分岐回路とを含む回路である。
【００２６】
複数のコントローラ２１の各々は、電気的に接続された１つ以上の電流センサの出力を用いて、複数の負荷機器５０及び受変電設備６１の各々について、使用電力と使用電力量（電力量）との少なくとも一方を計測する。複数のコントローラ２１の各々は、計測された計測値を、施設５に設けられたルータ７を介して蓄積サーバ２へ送信する。例えば、コントローラ２１ａは、受変電設備６１で分岐される分岐回路で使用される電力量を計測する。コントローラ２１ｂは、複数の負荷機器５０（照明器具５０ａ〜５０ｃ）の各々で使用される電力量の値を、負荷機器５０ごとに計測する。コントローラ２１ｃは、複数の負荷機器５０（空調機器５０ｄ〜５０ｆ）の各々で使用される電力量の値を、負荷機器５０ごとに計測する。
【００２７】
上述したように、計測システム２０の計測値は、複数のコントローラ２１で計測される使用電力と使用電力量との少なくとも一方を含んでいる。つまり、計測値は、瞬時電力を表す使用電力であってもよいし、あるいは一定時間における電力の使用量（消費量）を表す使用電力量であってもよい。また、計測値は、使用電力と使用電力量との両方であってもよい。本実施形態では一例として、計測値は、使用電力を一定時間（例えば正時から３０分間隔）で積算した使用電力量である。
【００２８】
コントローラ２１は、計測対象である設備（受変電設備６１又は負荷機器５０）の計測値と、計測対象である受変電設備６１又は負荷機器５０を識別する回路ＩＤとを対応付けて、ルータ７を介して蓄積サーバ２に送信する。回路ＩＤとは、コントローラによって電力量の計測が可能な回路に割り当てられた識別子である。例えば、図２に示す照明器具５０ａには、回路ＩＤとして“２−１”が割り当てられている。また、図２に示す空調機器５０ｄには、回路ＩＤとして“３−３”が割り当てられている。
【００２９】
（２．２）蓄積サーバ
蓄積サーバ２は、計測システム２０が計測した計測値（例えば使用電力量）を記憶する。つまり、蓄積サーバ２は、ＲＯＭ（Read Only Memory）、ＲＡＭ（Random Access Memory）、またはＥＥＰＲＯＭ（Electrically Erasable Programmable Read Only Memory）等から選択されるデバイスを有している。このデバイスに、計測システム２０が計測した計測値が時系列に記憶される。
【００３０】
蓄積サーバ２は、回路ＩＤごとに、つまり計測対象の設備ごとに、計測された計測値を時系列に記憶する。
【００３１】
蓄積サーバ２は、計測対象である複数の設備（受変電設備６１及び複数の負荷機器５０）の名称と、複数の回路ＩＤとを一対一に対応付けて記憶している。例えば、図２に示す照明器具５０ａの回路ＩＤ“２−１”には、名称“事務所  電灯”が対応付けられている。また、図２に示す空調機器５０ｄの回路ＩＤ“３−３”には、名称“３Ｆ  動力”が対応付けられている。
【００３２】
（２．３）分析システム
次に、本実施形態の分析システム１０の構成について説明する。
【００３３】
分析システム１０は、上述したように、本実施形態では分析装置１にて構成されている。分析装置１は、情報端末３及び蓄積サーバ２にネットワーク４を介して接続される。
【００３４】
分析装置１は、図１に示すように、処理部１１と、通信部１２と、記憶部１３とを備える。分析装置１は、ＣＰＵ（Central Processing Unit）及びメモリを有している。ＣＰＵがメモリに格納されているプログラムを実行することにより、処理部１１の機能を実現する。プログラムは、ここではインターネット等の電気通信回線を通じて、あるいはメモリカード等の記録媒体に記録されて提供されるが、コンピュータのメモリに予め記録されていてもよい。
【００３５】
通信部１２は、ネットワーク４に接続されることで、分析装置１と情報端末３との間、及び分析装置１と蓄積サーバ２との間の通信を可能にする。
【００３６】
記憶部１３は、ＲＯＭ、ＲＡＭ、又はＥＥＰＲＯＭ等から選択されるデバイスで構成される。記憶部１３は、電気事業者との間で予め定められた契約電力量（閾値）を予め記憶している。さらに、記憶部１３は、処理部１１が行う電力量情報の分析による分析結果を記憶する。
【００３７】
処理部１１は、図１に示すように、取得部１００、分析部１０１及び表示制御部１０２を有している。
【００３８】
取得部１００は、計測システム２０が施設５における複数の計測点でそれぞれ計測された複数の設備の電力量に関連する電力量情報を、蓄積サーバ２から取得する。具体的には、取得部１００は、電流センサ２２〜２８で計測された複数の設備（受変電設備６１及び負荷機器５０）の使用電力量と、計測された日時とを含む電力量情報を、蓄積サーバ２から取得する。取得部１００は、取得した電力量情報を、設備ごとに記憶部１３に時系列に記憶する。
【００３９】
分析部１０１は、日ごと及びデマンド時限（３０分単位）ごとに受変電設備６１に対するデマンド値を求める。ここで、デマンド値は、デマンド時限における平均使用電力量であって、デマンド時限において使用（消費）された電力量（電力の大きさ）を反映する情報である。受変電設備６１が受電した電力は施設５で使用（消費）されるので、分析部１０１は、受変電設備６１が受電した電力量（受電電力量）を基に、施設５で使用される平均使用電力量としてのデマンド値を求めることができる。なお、本実施形態では、デマンド時限が、本開示の単位時間に相当する。
【００４０】
分析部１０１は、求めた受変電設備６１に対するデマンド値と、デマンドフラグとを対応付けた情報であるデマンド情報を記憶部１３に時系列に記憶する。デマンドフラグとは、対応するデマンド値が高デマンドであるか否かを表す情報である。本実施形態では、記憶部１３が記憶する閾値に対する所定の割合である目標値をデマンド値が超える場合には高デマンドであることを表すデマンドフラグが、デマンド値に対応付けられる。デマンド値が目標値を超えない場合には高デマンドではないことを表すデマンドフラグが、デマンド値に対応付けられる。以下、目標値を超えたデマンド値を高デマンド値という。
【００４１】
分析部１０１は、同一の年月において求められた複数の高デマンド値のうち最高値から所定数の高デマンド値（例えば、上位１０個のデマンド値）を含むデマンド情報に、複数の高デマンド値のうち上位の高デマンド値であることを表す上位フラグを含めて、記憶部１３に記憶する。他のデマンド値（目標値を超えないデマンド値、及び複数の高デマンド値のうち上位の高デマンド値でない残りの高デマンド値）を含むデマンド情報に、上位の高デマンド値でないことを表す上位フラグを含めて、記憶部１３に記憶する。つまり、デマンド情報は、受変電設備６１に対するデマンド値、デマンドフラグ及び上位フラグが含まれる。
【００４２】
分析部１０１は、高デマンド値が得られたデマンド時限、言い換えると高デマンドが発生しているデマンド時限の発生年月日及び発生時間帯を記憶部１３に記憶する。
【００４３】
分析部１０１は、電力の計測が行われた月(計測月)ごとに、高デマンドが発生している発生時間帯を基に、高デマンドが発生しやすい期間を抽出する。具体的には、分析部１０１は、高デマンドの発生が集中している期間（月別高デマンド発生時間帯）を抽出し、月別高デマンド発生時間帯と計測月とを対応付けて、記憶部１３に記憶する。
【００４４】
分析部１０１は、計測月において、設備（電力が計測された回路）ごとに、各デマンド時限における最大値、最小値、平均値、第１四分位、第２四分位（最大値と最小値との間の中央値）、第３四分位を求める。ここで、第１四分位は、最小値と第２四分位との間の中央値であり、第３四分位は、最大値と第２四分位との間の中央値である。分析部１０１は、求めた各値を、計測月ごと及び設備ごとに、記憶部１３に記憶する。
【００４５】
分析部１０１は、さらに、日ごと及びデマンド時限ごとに受変電設備６１を除く各設備（回路）のデマンド値（以下、設備側デマンド値という）を求める。
【００４６】
分析部１０１は、計測日ごとに、各設備について、月別高デマンド発生時間帯において設備側デマンド値が第３四分位を超える超過回数に基づく出現率、設備側デマンド値が中央値から超えた逸脱量に基づく超過量平均及び最大超過量を求める。具体的は、分析部１０１は、計測日ごと及び設備ごとに、月別高デマンド発生時間帯に含まれるデマンド時限の個数に対する超過回数の割合（％）を算出することで、出現率を求める。分析部１０１は、計測日ごと及び設備ごとに、逸脱量の合計値を月別高デマンド発生時間帯に含まれるデマンド時限の個数で除算することで、超過量平均を求める。分析部１０１は、計測日ごと及び設備ごとに、月別高デマンド発生時間帯における１又は複数の逸脱量のうち最大の逸脱量を最大超過量として求める。分析部１０１は、求めた出現率、超過量平均及び最大超過量を、計測日及び設備に対応付けて記憶部１３に記憶する。
【００４７】
分析部１０１は、計測日ごとに各設備について求めた出現率、超過量平均及び最大超過量を基に、月別高デマンド発生時間帯において高デマンド発生の要因となる設備（回路）を所定数分抽出する。分析部１０１は、同一計測日において、出現率を第１ソートキー、超過量平均を第２ソートキー及び最大超過量を第３ソートキーとして、複数の設備を降順にソートし、例えば、上位５つの設備を抽出する。分析部１０１は、抽出した設備の情報（例えば、回路ＩＤ）をソート結果の順序で、対応する回路名称、出現率、超過量平均及び最大超過量とともに記憶部１３に記憶する。本実施形態では、出現率を第１ソートキー、超過量平均を第２ソートキー及び最大超過量を第３ソートキーとして抽出された上位５つの回路ＩＤ、各々に対応する回路名称、出現率、超過量平均及び最大超過量を含む情報を日別ランキング情報という。
【００４８】
分析部１０１は、各計測月において、複数の設備の各々の設備側デマンド値の合計（月別デマンド値）を算出する。分析部１０１は、計測月ごとに、複数の設備の各々の月別デマンド値の合計値（月別合計値）を算出する。分析部１０１は、計測月ごとに、複数の設備の各々について月別合計値に対する月別デマンド値の割合（月別デマンド割合）を算出する。分析部１０１は、複数の設備のうち、月別デマンド割合が大きい上位所定数（例えば５つ）の設備を抽出する。分析部１０１は、月別デマンド割合が大きい上位所定数（例えば５つ）の設備の月別デマンド値の合計値（第１合計値）を算出する。分析部１０１は、月別合計値から第１合計値を減算して、月別残デマンド値を算出する。分析部１０１は、月別デマンド割合が大きい上位所定数（例えば５つ）の設備の月別デマンド割合の合計値（第２合計値）を算出する。分析部１０１は、月別デマンド割合から第２合計値を減算して、月別残デマンド割合を算出する。分析部１０１は、月別合計値、月別残デマンド値及び月別残デマンド割合の他、抽出した設備の情報（例えば、回路ＩＤ）を割合の大きい順序で、対応する回路名称、月別デマンド値及び月別デマンド割合とともに記憶部１３に記憶する。本実施形態では、月別合計値に対する月別デマンド値の割合が多い上位所定数（５つ）の設備の回路ＩＤと、各々に対応する回路名称、月別デマンド値及び月別デマンド割合と、月別合計値と、月別残デマンド値と、月別残デマンド割合とを含む情報を月別ランキング情報という。
【００４９】
分析部１０１は、計測月ごとに、受変電設備６１に対するデマンド値が高デマンドである各デマンド時限において受変電設備６１が受電する電力量（受電電力量）のデータを取得する。分析部１０１は、取得した複数の受電電力量のデータを用いて、受電電力量が多い上位所定数（ここでは、３つ）の受電電力量の値を抽出する。言い換えると、分析部１０１は、施設５において使用される電力量が多い上位所定数の電力量の値を抽出する。以下、抽出された３つの受電電力量の値を第１〜第３受電電力量という。ここで、３つの受電電力量のデータのうち最も多い受電電力量を第１受電電力量とし、次に多い受電電力量を第２受電電力量とし、３番目に多い受電電力量を第３受電電力量とする。また、第１受電電力量に応じたデマンド時限を第１デマンド時限と、第２受電電力量データに応じたデマンド時限を第２デマンド時限と、第３受電電力量に応じたデマンド時限を第３デマンド時限と、それぞれいう。
【００５０】
分析部１０１は、第１〜第３デマンド時限のそれぞれにおいて、複数の設備の各々の設備側デマンド値（個別デマンド値）を記憶部１３から取得する。分析部１０１は、第１〜第３デマンド時限のそれぞれにおいて、個別デマンド値の合計値（個別合計値）を算出する。分析部１０１は、第１〜第３デマンド時限のそれぞれにおいて、複数の設備の各々について個別合計値に対する個別デマンド値の割合（個別デマンド割合）を算出する。分析部１０１は、第１〜第３デマンド時限のそれぞれにおいて、複数の設備のうち個別デマンド割合が大きい上位所定数（例えば５つ）の設備を抽出する。分析部１０１は、第１〜第３デマンド時限のそれぞれにおいて、個別デマンド割合が大きい上位所定数（例えば５つ）の設備の個別デマンド値の合計値（第３合計値）を算出する。分析部１０１は、第１〜第３デマンド時限のそれぞれにおいて、個別合計値から第３合計値を減算して個別残デマンド値を算出する。分析部１０１は、第１〜第３デマンド時限のそれぞれにおいて、個別デマンド割合が大きい上位所定数（例えば５つ）の設備の個別デマンド割合の合計値（第４合計値）を算出する。分析部１０１は、第１〜第３デマンド時限のそれぞれにおいて、個別デマンド割合から第４合計値を減算して個別残デマンド割合を算出する。
【００５１】
分析部１０１は、第１〜第３デマンド時限のそれぞれに一対一に対応する複数（ここでは、３つ）の個別ランキング情報を記憶部１３に記憶する。個別ランキング情報は、対応するデマンド時限に応じた時間帯、当該デマンド時限での受電電力量の値、個別合計値、個別残デマンド値及び個別残デマンド割合の他、当該デマンド時限において抽出した設備の情報（例えば、回路ＩＤ）、個別デマンド値及び個別デマンド割合を含む。ここで、個別ランキング情報が記憶部１３に記憶される際には、当該デマンド時限において抽出した設備の情報（例えば、回路ＩＤ）の個別デマンド割合が大きい順序で、記憶部１３に記憶される。
【００５２】
分析部１０１は、同一日に対応する日別ランキング情報と個別ランキング情報との双方に、１つ以上の同一の回路ＩＤに含まれている場合には、双方の含まれる１つ以上の回路ＩＤを含む関連情報を生成し、対応する日に対応付けて記憶部１３に記憶する。
【００５３】
表示制御部１０２は、情報端末３からの要求に応じた画面を作成し、情報端末３の表示部３１に表示する。
【００５４】
表示制御部１０２は、情報端末３からの要求に応じて、計測が開始されてから現在までの期間における日別のデマンドに関するカレンダ画面２００（コンテンツ）を作成し、表示部３１に表示する。
【００５５】
表示制御部１０２は、情報端末３からの要求に応じて、指定された月における日別かつデマンド時限別のデマンドに関する時限選択画面３００（コンテンツ）を作成し、表示部３１に表示する。
【００５６】
表示制御部１０２は、情報端末３からの要求に応じて、指定された日における特定の設備（回路）のデマンド時限ごとに使用（消費）される使用電力に関する動的分析画面４００（コンテンツ）を作成し、表示部３１に表示する。
【００５７】
表示制御部１０２は、情報端末３からの要求に応じて、特定の月における各設備の使用電力に関する静的分析画面５００（コンテンツ）を作成し、表示部３１に表示する。
【００５８】
表示制御部１０２は、作成した画面を情報端末３に送信し、表示部３１に表示させる。
【００５９】
（２．４）情報端末
次に、本実施形態の情報端末３の構成について説明する。
【００６０】
情報端末３は、一例として表示部３１を備えるスマートフォンである。情報端末３は、図３に示すように、表示部３１の他、処理部３２と、通信部３３と、入力部３４と、記憶部３５とを備える。情報端末３は、ＣＰＵ及びメモリを有しており、ＣＰＵがメモリに格納されているプログラムを実行することにより、コンピュータを処理部３２として機能させる。プログラムは、ここではインターネット等の電気通信回線を通じて、あるいはメモリカード等の記録媒体に記録されて提供されるが、コンピュータのメモリに予め記録されていてもよい。
【００６１】
表示部３１は、例えば液晶ディスプレイや有機ＥＬ（electroluminescence）ディスプレイのような薄型のディスプレイ装置である。
【００６２】
処理部３２は、表示部３１を制御することにより、分析装置１の表示制御部１０２が作成した画面を表示部３１に表示する機能を持つ。つまり、情報端末３は、専用のアプリケーションソフトをインストールし、このアプリケーションソフトを起動することにより、表示部３１を制御するための処理部３２としての機能を実現する。
【００６３】
通信部３３は、ネットワーク４に接続されることで、情報端末３と分析装置１（分析システム１０）との間の通信を可能にする。ここでは、情報端末３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部３３は、公衆無線ＬＡＮ（Local Area Network）を介してネットワーク４に接続されてもよい。
【００６４】
入力部３４は、情報端末３の所有者の操作を受け付ける機能を有している。本実施形態では、情報端末３はタッチパネルディスプレイを搭載したスマートフォンであり、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００６５】
記憶部３５は、例えばフラッシュメモリ等の電気的に書換可能な不揮発性の半導体メモリで構成される。
【００６６】
情報端末３は、上記構成により分析装置１で作成された画面（コンテンツ）を表示することができる。
【００６７】
なお、情報端末３がスマートフォンで構成されることは一例である。情報端末３は、携帯電話機、パーソナルコンピュータ等で構成されてもよい。
【００６８】
（３）動作説明
以下、本実施形態に係る分析システム１０の動作について説明する。
【００６９】
本実施形態に係るプログラムは、情報端末３の表示部３１に、計測システム２０が計測した施設５における使用電力量に関する情報を表示するためのプログラムである。つまり、本実施形態に係るプログラムは、分析装置１のコンピュータを、取得部１００、分析部１０１及び表示制御部１０２として機能させるためのプログラムである。
【００７０】
取得部１００は、電流センサ２２〜２８で計測された複数の設備（受変電設備６１及び負荷機器５０）の使用電力量のデータと、計測された日時とを含む電力量情報を、蓄積サーバ２から取得し、記憶部１３に記憶する。
【００７１】
分析部１０１は、日ごと及びデマンド時限（３０分単位）ごとの受変電設備６１に対するデマンド情報を生成し、生成したデマンド情報を記憶部１３に時系列に記憶する。ここで、デマンド情報には、上述したように、デマンド値、デマンドフラグ及び上位フラグが含まれている。
【００７２】
分析部１０１は、高デマンドが発生しているデマンド時限の発生年月日及び発生時間帯を記憶部１３に記憶する。
【００７３】
分析部１０１は、計測月ごとに、高デマンドが発生している発生時間帯を基に、月別高デマンド発生時間帯を抽出し、月別高デマンド発生時間帯と測定月とを対応付けて、記憶部１３に記憶する。
【００７４】
分析部１０１は、計測月において、設備ごとに、各デマンド時限における最大値、最小値、平均値、第１四分位、第２四分位（最大値と最小値との間の中央値）、第３四分位を求めて、求めた各値を、計測月ごと及び設備ごとに、記憶部１３に記憶する。
【００７５】
分析部１０１は、計測日ごとに、各設備について、月別高デマンド発生時間帯における出現率、超過量平均及び最大超過量を求める。分析部１０１は、求めた出現率、超過量平均及び最大超過量を、計測日及び設備に対応付けて記憶部１３に記憶する。
【００７６】
分析部１０１は、計測日ごとに各設備について求めた出現率、超過量平均及び最大超過量を基に、月別高デマンド発生時間帯において高デマンド発生の要因となる設備（回路）を所定数分抽出する。分析部１０１は、日別ランキング情報を生成し、生成した日別ランキングを記憶部１３に記憶する。
【００７７】
分析部１０１は、各計測月において、複数の設備の各々の月別デマンド値を算出する。分析部１０１は、計測月ごとに、月別合計値を算出する。分析部１０１は、計測月ごとに、複数の設備の各々について月別デマンド割合を算出する。分析部１０１は、算出した各月別デマンド値、月別合計値及び月別デマンド割合を基に、月別ランキング情報を生成し、生成した月別ランキング情報を記憶部１３に記憶する。
【００７８】
分析部１０１は、第１〜第３デマンド時限のそれぞれにおいて、複数の設備の各々の個別デマンド値を記憶部１３から取得する。分析部１０１は、第１〜第３デマンド時限のそれぞれにおいて、個別合計値を算出する。分析部１０１は、第１〜第３デマンド時限のそれぞれにおいて、複数の設備の各々について個別デマンド割合を算出する。分析部１０１は、第１〜第３デマンド時限のそれぞれに対して、対応するデマンド時限の個別デマンド値、個別合計値及び個別デマンド割合を基に、個別ランキング情報を生成し、生成した個別ランキング情報を記憶部１３に記憶する。
【００７９】
分析部１０１は、日別ランキング情報と、個別ランキング情報とにおいて、同一日に１つ以上の同一の回路ＩＤに含まれている場合には関連情報を生成し、記憶部１３に記憶する。
【００８０】
表示制御部１０２は、情報端末３からの要求に応じて、カレンダ画面２００（図３参照）を作成し、表示部３１に表示する。具体的には、表示制御部１０２は、時系列に記憶部１３で記憶されているデマンド情報を月単位にグループ化する。表示制御部１０２は、各月の複数の日の各々について、当該日に対応する複数のデマンド情報に基づいて当該日の表示態様を決定する。ここでは、表示制御部１０２は、表示態様として表示色を決定する。例えば、デマンド値が高デマンドであることを表しているデマンドフラグを含む１つ以上のデマンド情報が存在する場合には、当該１つ以上のデマンド情報に対応する日（高デマンド日）の表示色を黄色に決定する。デマンド値が高デマンドであることを表しているデマンドフラグを含むデマンド情報が全く存在しない日の表示色は白色に決定する。つまり、高デマンドが発生している日と、発生していない日とで表示色を変更する。表示制御部１０２は、月単位で日ごとに決定された表示色を含むカレンダ画面２００を生成する。
【００８１】
表示制御部１０２は、情報端末３からの要求に応じて、指定された月に対する時限選択画面３００（図４参照）を作成し、表示部３１に表示する。具体的には、表示制御部１０２は、指定された月で計測された電力に応じたデマンド情報を日単位にグループ化する。表示制御部１０２は、各日のデマンド時限の各々について、当該デマンド時限に対応するデマンド情報に基づいて当該デマンド時限の表示態様を決定する。ここでは、表示制御部１０２は、デマンド時限の表示態様として表示色を決定する。例えば、表示制御部１０２は、デマンド値が高デマンドであることを表しているデマンドフラグ及び上位の高デマンドであることを表す上位フラグを含むデマンド情報に対するデマンド時限については、表示色を橙色に決定する。表示制御部１０２は、デマンド値が高デマンドであることを表しているデマンドフラグ及び上位の高デマンドでないことを表す上位フラグを含むデマンド情報に対するデマンド時限については、表示色を黄色に決定する。表示制御部１０２は、デマンド値が高デマンドでないことを表しているデマンドフラグ及び上位の高デマンドでないことを表す上位フラグを含むデマンド情報に対するデマンド時限については、表示色を白色に決定する。つまり、表示制御部１０２は、高デマンドが発生しているデマンド時限と、発生していないデマンド時限とで表示色を変更する。表示制御部１０２は、さらには、高デマンドで発生しているデマンド時限については上位の高デマンドであるデマンド時限と、上位の高デマンドではないデマンド時限とで表示色を変更する。
【００８２】
時限選択画面３００では、後述するように指定された月に含まれる日を横軸とし、１日におけるデマンド時限（デマンド時限の開始時刻）を縦軸とするマトリックス形式で表示される。表示制御部１０２は、高デマンドが発生している日とデマンド時限とが交差する領域（表示色が橙色又は黄色の表示領域）については、リンクボタンとして表示するように決定する。言い換えると、複数の日と前記複数のデマンド時限との組み合わせのうち、使用（消費）された電力が目標値を超えた時間帯に応じた日とデマンド時限との組み合わせに相当するマトリックス上の位置における表示態様は、リンクボタンとなっている。ここで、リンクボタンは、高デマンドが発生しているデマンド時限を含む期間（高デマンド発生している日）における電力の使用の詳細表示のための画面へ遷移するためのボタンである。
【００８３】
さらに、表示制御部１０２は、高デマンドが発生している日及びデマンド時限の表示態様としての表示色を緑色に決定する。表示制御部１０２は、デマンドが発生していない日及びデマンド時限の表示色を白色に決定する。表示制御部１０２は、指定された日のデマンド時限ごとに決定されたデマンド時限の表示色、及びリンクボタンとしの表示の有無を含む時限選択画面３００を生成する。
【００８４】
表示制御部１０２は、情報端末３からの要求に応じて、時限選択画面３００で表示された月において指定された日に対する動的分析画面４００を作成し、表示部３１に表示する。具体的には、表示制御部１０２は、時限選択画面３００で表示された月に対応する月別高デマンド発生時間帯、日別ランキング情報を記憶部１３から取得する。表示制御部１０２は、受変電設備６１に対する電力量情報であって指定された日に対応するすべての電力量情報を記憶部１３から取得する。表示制御部１０２は、日別ランキング情報に含まれる複数の設備のうちソート処理により最上位となった設備（最上位設備）に対して算出されたデマンド時限ごとの平均値を取得する。表示制御部１０２は、最上位設備に対する電力量情報であって指定された日に対応するすべての電力量情報を記憶部１３から取得する。表示制御部１０２は、指定された日に対応する関連情報が記憶部１３に存在する場合には、当該関連情報を記憶部１３から取得する。
【００８５】
表示制御部１０２は、取得した最上位設備の電力量情報を基に得られる設備側デマンド値をデマンド時限ごとの棒グラフとして表す情報を第１グラフ情報として生成する。表示制御部１０２は、取得した最上位設備の平均値を基に指定された日での折れ線グラフ（標準ロードカーブ）を表す情報を第２グラフ情報として生成する。表示制御部１０２は、取得した受変電設備６１の電力量情報を基に指定された日での折れ線グラフを表す情報を第３グラフ情報として生成する。表示制御部１０２は、指定された日のうち月別高デマンド発生時間帯に相当する時間帯の表示色を黄色に決定する。表示制御部１０２は、第１グラフ情報で表されるグラフの表示色を青色、第２グラフ情報で表されるグラフの表示色を赤色、第３グラフ情報で表されるグラフの表示色を黒色に、それぞれ決定する。
【００８６】
表示制御部１０２は、日別ランキング情報に含まれる各設備の表示色を決定する。具体的には、表示制御部１０２は、関連情報を取得した場合には、当該関連情報に含まれる回路ＩＤに対応する設備の表示色は赤色に、関連情報に含まれない回路ＩＤの設備についての表示色は白色に決定する。なお、関連情報を取得していない場合には、表示制御部１０２は、日別ランキング情報に含まれる各設備の表示色は白色に決定する。さらに、表示制御部１０２は、日別ランキング情報に応じた日に対応する関連情報が記憶部１３に存在し、かつ当該関連情報に含まれる回路ＩＤに対する設備をリンクボタンとして表示するように決定する。
【００８７】
表示制御部１０２は、第１〜第３グラフ情報、日別ランキング情報、月別高デマンド発生時間帯、決定した各表示色、及びリンクボタンとしての表示の有無を含む動的分析画面４００（図５参照）を生成する。
【００８８】
表示制御部１０２は、情報端末３からの要求に応じて、静的分析画面５００（図６参照）を作成し、表示部３１に表示する。具体的には、表示制御部１０２は、指定された月に対応する月別ランキング情報を記憶部１３から取得する。表示制御部１０２は、指定された月に対応しかつ受電電力量が多い上位所定数（例えば３）の日のそれぞれの個別ランキング情報を取得する。表示制御部１０２は、月別ランキング情報を基に、月別ランキング情報に各設備の月別デマンド割合を円グラフとして表す情報を第４グラフ情報として生成する。表示制御部１０２は、各個別ランキング情報を基に、各設備の個別デマンド割合を円グラフとして表す情報を第５グラフ情報〜第７グラフ情報として生成する。第５グラフ情報で表される円グラフは、第１デマンド時限における各設備の個別デマンド割合を表す。第６グラフ情報で表される円グラフは、第２デマンド時限における各設備の個別デマンド割合を表す。第７グラフ情報で表される円グラフは、第３デマンド時限における各設備の個別デマンド割合を表す。
【００８９】
表示制御部１０２は、第４グラフ情報で表される円グラフにおいて、月別デマンド割合が最も大きい設備の表示色を水色、２番目に大きい設備の表示色を黒色、３番目に大きい設備の表示色を黄色、４番目に大きい設備の表示色を橙色、５番目に大きい設備の表示色を青色に、それぞれ決定する。表示制御部１０２は、第４グラフ情報で表される円グラフにおける残りの割合については表示色を赤色に決定する。
【００９０】
表示制御部１０２は、月別合計値に対する月別デマンド値の割合が多い上位所定数（５つ）の設備の回路ＩＤと、各々に対応する回路名称、月別デマンド値及び月別デマンド割合と、月別残デマンド値と、月別残デマンド割合とを含み、各設備の順位を含むテーブルを表す情報を第１テーブル情報として生成する。第１テーブル情報が表すテーブルは、月別合計値に対する月別デマンド値の割合が多い上位所定数（５つ）の設備と、その他の設備との計６つの順位を含む。第６番目は、その他の設備として、月別残デマンド値と、月別残デマンド割合が対応付けられる。表示制御部１０２は、第１テーブル情報で表されるテーブルにおいて、各設備の順位の表示色を、第１位から第６位の順に水色、黒色、黄色、橙色、青色及び赤色に決定する。
【００９１】
表示制御部１０２は、第５グラフ情報〜第７グラフ情報の各々で表される円グラフについても、上位の設備から５番目までの設備の表示色を順に、水色、黒色、黄色、橙色及び青色に決定する。表示制御部１０２は、第５グラフ情報〜第７グラフ情報の各々で表される円グラフにおける残りの割合については表示色を赤色に決定する。
【００９２】
表示制御部１０２は、第１〜第３デマンド時限の各々について、各設備の順位を含むテーブルを表す第２テーブル情報〜第４テーブル情報を生成する。具体的には、表示制御部１０２は、個別ランキング情報に基づいて、個別デマンド値の割合が多い上位所定数（５つ）の設備の回路ＩＤ及び各々に対応する個別デマンド値及び個別デマンド割合と、個別残デマンド値と、個別残デマンド割合とを含み、各設備の順位を表すテーブルのテーブル情報（第２〜第４テーブル情報）を生成する。第２テーブル情報は第１デマンド時限に対応し、第３テーブル情報は第２デマンド時限に対応し、第４テーブル情報は第３デマンド時限に、それぞれ対応する。第２〜第４テーブル情報の各々が表すテーブルは、個別合計値に対する個別デマンド値の割合が多い上位所定数（５つ）の設備と、その他の設備との計６つの順位を含む。第６番目は、その他の設備として、個別残デマンド値と、個別マンド割合が対応付けられる。表示制御部１０２は、第２〜第４テーブル情報の各々で表されるテーブルにおいて、各設備の順位の表示色を、第１位から第６位の順に水色、黒色、黄色、橙色、青色及び赤色に決定する。
【００９３】
表示制御部１０２は、個別ランキング情報に含まれる各設備の設備ＩＤ、設備ＩＤの各々に対応する個別デマンド値及び個別デマンド割合の表示色を決定する。具体的には、表示制御部１０２は、個別ランキング情報に応じた日に対応する関連情報が記憶部１３に存在する場合には、当該関連情報に含まれる回路ＩＤ、当該設備ＩＤに対応する個別デマンド値及び個別デマンド割合の表示色は赤色に決定する。表示制御部１０２は、関連情報に含まれない回路ＩＤ、当該設備ＩＤに対応する個別デマンド値及び個別デマンド割合の表示色は白色に決定する。なお、個別ランキング情報に応じた日に対応する関連情報が存在しない場合には、表示制御部１０２は、日別ランキング情報に含まれる各設備の表示色は白色に決定する。さらに、表示制御部１０２は、個別ランキング情報に応じた日に対応する関連情報が記憶部１３に存在し、かつ当該関連情報に含まれる回路ＩＤをリンクボタンとして表示するように決定する。
【００９４】
表示制御部１０２は、第４〜第７グラフ情報、第１〜第４テーブル情報、決定した各表示色、及びリンクボタンとしての表示の有無を含む静的分析画面５００（図６参照）を生成する。
【００９５】
表示制御部１０２は、情報端末３からの要求に応じて生成した画面を、通信部１２を介して情報端末３に送信して、情報端末３の表示部３１に表示させる。
【００９６】
（４）画面
ここでは、表示部３１で表示される各画面について説明する。
【００９７】
（４．１）カレンダ画面２００
まず、カレンダ画面２００について説明する。なお、図３の参照符号及び領域を囲む一点鎖線は、説明のために記載しているのみであり、実際の画面には表示されない。以下、図４〜図７においても同様である。
【００９８】
本実施形態のカレンダ画面２００は、図３に示すように、カレンダ表示領域２０１及び一括ボタン表示領域２０２を含んでいる。
【００９９】
カレンダ表示領域２０１には、計測が開始されてから現在までの期間における日ごとの分析結果が、１ヶ月を一グループとしてグループ単位に表示される。図３では、２０１７年４月〜２０１８年１月までの日ごとの分析結果が１ヶ月を一グループとしてグループ単位に表示される。分析結果として高デマンドが発生している日に対して、他の日（高デマンドが発生していない日）とは異なる表示態様で表示されている。例えば、上述したように、高デマンドが発生している日に対しては表示色を黄色として、発生していない日に対しては表示色を白色として、日ごとの分析結果は表示される。図３では、２０１７年０８月では、１，４，７〜９，２１〜２５，２８，２９日では分析結果として高デマンドが発生していることを表している。２０１７年０８月の他の日では分析結果として高デマンドが発生していないことを表している。
【０１００】
カレンダ表示領域２０１では、表示された月ごとに、分析ボタン２１１及び結果ボタン２１２が表示される。
【０１０１】
分析ボタン２１１は、対応する月に対して分析を行うことを要求する場合に、利用者がタップするボタンである。分析ボタン２１１が利用者によってタップされると、対応する月における分析を要求する情報であって、対応する月を含む月別分析要求情報が、情報端末３の通信部３３を介して分析装置１に送信される。分析装置１では、月別分析要求情報が受信されると、分析部１０１は、当該月別分析要求情報に含まれる月に対する分析を行う。分析部１０１が行う分析については、“（２−３）分析システム”及び“（３）動作説明”で説明しているので、ここでの説明は省略する。なお、ここで用いる分析では、分析要求情報に含まれる月において計測された電力量情報を用いる。
【０１０２】
結果ボタン２１２は、対応する月に対する時限選択画面３００に画面を遷移する際に、利用者がタップするボタンである。結果ボタン２１２が利用者によってタップされると、対応する月における分析を要求する情報であって、対応する月を含む時限選択要求情報が、情報端末３の通信部３３を介して分析装置１に送信される。分析装置１では、時限選択要求情報が受信されると、表示制御部１０２は、当該時限選択要求情報に含まれる月に対する時限選択画面３００を生成し、表示部３１に表示させる。
【０１０３】
一括ボタン表示領域２０２には、一括分析ボタン２２０が表示される。一括分析ボタン２２０は、計測が開始されてから現在までの期間におけるすべての日（すべての計測日）に対して分析を行うことを要求する場合に、利用者がタップするボタンである。一括分析ボタン２２０が利用者によってタップされると、すべての計測日における分析を要求する情報であって、一括分析要求情報が、情報端末３の通信部３３を介して分析装置１に送信される。分析装置１では、一括分析要求情報が受信されると、分析部１０１は、すべての計測日における分析を行う。分析部１０１が行う分析については、“（２−３）分析システム”及び“（３）動作説明”で説明しているので、ここでの説明は省略する。
【０１０４】
なお、分析ボタン２１１について、対応する月の分析が未だ行われていない場合、又は分析が行われた後に新たな電力量情報が取得され分析結果が最新でない場合においては、表示態様としての表示色を、他の場合とは異なる表示色としてもよい。また、一括分析ボタン２２０について、計測された複数の月（計測月）のうち少なくとも１つの計測月において分析が未だ行われていない場合においては、表示態様としての表示色を、他の場合とは異なる表示色としてもよい。分析が行われた後に新たな電力量情報が取得され分析結果が最新でない場合においても、一括分析ボタン２２０について、表示態様としての表示色を、他の場合とは異なる表示色としてもよい。例えば、分析装置１は、計測月の各々に対して分析が行われた否かを表す分析フラグを、計測月ごとに一対一に対応するように記憶している。分析部１０１は、分析が行われると、対応する計測月の分析フラグを分析が行われていないことを表す情報から分析が行われたことを表す情報に変更する。分析部１０１は、分析フラグが分析が行われたことを表している場合に、対応する月において計測された新たな電力量情報が取得されると、分析フラグを分析が行われたことを表す情報から分析が行われていないことを表す情報に変更する。
【０１０５】
（４．２）時限選択画面３００
カレンダ画面２００において、利用者が所望する月に対応する結果ボタン２１２をタップした場合、所望する月（指定月）の時限選択画面３００へと遷移する。
【０１０６】
本実施形態の時限選択画面３００は、図４に示すように、時限表示領域３０１、ボタン表示領域３０２及びスクロールバー３０３を含んでいる。
【０１０７】
時限表示領域３０１には、タップされた結果ボタン２１２に対応する月（指定された月）に係る第１月情報３１０及び時限テーブル３１１が表示される。
【０１０８】
第１月情報３１０は、指定された年及び月を含む。図４では、第１月情報３１０として“２０１７年０８月”が表示される。
【０１０９】
時限テーブル３１１は、縦軸をデマンド時限とし、横軸を日としたテーブルである。縦軸では、１日における各デマンド時限の開始時刻が表示される。指定された月を表示対象期間とした場合、当該表示対象期間は、日を表す日情報と、デマンド時限（時間）を表す時間情報との組み合わせである。時限選択画面３００では、時限テーブル３１１として日情報と時間情報とをマトリックス形式で表示する。
【０１１０】
時限表示領域３０１の時限テーブル３１１では、日とデマンド時限との交点であるマス目に対して、当該日の当該デマンド時限で計測された電力量情報の分析結果が表示される。時限テーブル３１１の各マス目には、対応する分析結果に応じた表示色が表示される。具体的には、高デマンドが発生している日及びデマンド時限に対応するマス目の表示色と、高デマンドが発生していない日及びデマンド時限に対応するマス目の表示色とは異なる。さらに、高デマンドのうち上位所定数に含まれる高デマンドが発生している日及びデマンド時限に対応する複数のマス目の表示色は、高デマンドのうち上位所定数に含まれない高デマンドが発生している日及びデマンド時限に対応する複数のマス目の表示色とは異なる。例えば、２０１７年０８月７日において、０９：００から１４：３０までの時間帯、及び１５：３０〜１６：００までの時間帯では高デマンドが発生しているが、同日の他の時間帯では高デマンドは発生していない。さらに、例えば、２０１７年０８月７日の開始時刻を０９：００とするデマンド時限と、同日の開始時刻を０９：００とするデマンド時限とでは、双方とも高デマンドが発生しているが、前者は上位所定数に含まれる高デマンドであるが、後者は上位所定数に含まれない高デマンドである。
【０１１１】
さらに、時限テーブル３１１では、高デマンドが発生している日及びデマンド時限に対する表示色は、他の日及びデマンド時限の表示色とは異なる。図４では、２０１７年０８月１，４，７〜９，２１〜２５，２８，２９日では、これらの日の表示色が他の日の表示色とは異なっているため、これらの日において高デマンドが発生していることが分かる。さらに、２０１７年０８月では、０９：００〜１４：３０，１５：３０〜１６：３０の時間帯において、高デマンドが発生している。
【０１１２】
また、時限テーブル３１１では、高デマンドが発生している日及びデマンド時限に対するマス目については、当該マス目に対応する日の動的分析画面４００に遷移するためのリンクボタンとして表示される。
【０１１３】
ボタン表示領域３０２にでは、画面遷移ボタン３２０が表示される。画面遷移ボタン３２０は、カレンダ画面２００に画面を遷移する際に、利用者がタップするボタンである。画面遷移ボタン３２０が利用者によってタップされると、カレンダ画面２００を要求するカレンダ画面要求情報が、情報端末３の通信部３３を介して分析装置１に送信される。分析装置１でカレンダ画面要求情報が受信されると、表示制御部１０２は、カレンダ画面２００を表示部３１に表示させる。
【０１１４】
スクロールバー３０３は、時限テーブル３１１の表示領域を上下に移動させる際に利用者によって操作される。これにより、利用者は、表示部３１に収まりきらない時限テーブル３１１の一部の領域についても確認することができる。
【０１１５】
なお、時限選択画面３００において、スクロールバー３０３は必須の画面構成要素ではない。スクロールバー３０３は、時限選択画面３００において表示されていなくてもよい。例えば、表示部３１がタッチパネル機能を有している場合には、フリック操作により時限テーブル３１１の表示領域を上下に移動させる。
【０１１６】
なお、情報端末３がポインティングデバイス（例えば、マウス）を有する場合、ポインティングデバイスの操作によって時限テーブル３１１において指定されたマス目の縦横方向の各マス目の表示色を変更してもよい。例えば、指定されたマス目の縦横方向の各マス目の現在の表示色に他の表示色を重畳してもよい。これにより、利用者は、指定されたマス目の縦横方向をみることで、自身が指定したマス目の日及びデマンド時限を容易に確認することができる。さらに、指定されたマス目がリンクボタンである場合には、ポインティングデバイスによる画面上の操作位置を表す表示形状を変更してもよい。例えば、指定されたマス目がリンクボタンでない場合にはポインティングデバイスによる画面上の操作位置を表す表示形状を矢印とし、指定されたマス目がリンクボタンである場合にはポインティングデバイスによる画面上の操作位置を表す表示形状を指の形状とする。
【０１１７】
（４．３）動的分析画面４００
時限選択画面３００が表示部３１に表示されている場合に利用者が所望する日及にデマンド時限に対応するマス目（リンクボタン）をタップした場合、所望する日及にデマンド時限の動的分析画面４００へと遷移する。
【０１１８】
本実施形態の動的分析画面４００は、図５に示すように、第１タブ４１０、第２タブ４１１及び動的用第１表示領域４０１及び動的用第２表示領域４０２を含む。
【０１１９】
第１タブ４１０には静的分析との名称が、第２タブ４１１には動的分析との名称が、それぞれ表示されている。第１タブ４１０及び第２タブ４１１は、分析結果の表示内容を選択するためのボタンとしての機能を有している。第１タブ４１０及び第２タブ４１１において選択されたタブと選択されていないタブとで、表示色が異なる。図５では、第２タブ４１１が選択され、第１タブ４１０が選択されていない状態、つまり動的分析の結果が表示されている状態を表している。
【０１２０】
動的用第１表示領域４０１では、第１画面遷移ボタン４１２及び第２画面遷移ボタン４１３が表示される。
【０１２１】
第１画面遷移ボタン４１２は、カレンダ画面２００に画面を遷移する際に、利用者がタップするボタンである。第１画面遷移ボタン４１２が利用者によってタップされると、カレンダ画面要求情報が、情報端末３の通信部３３を介して分析装置１に送信される。分析装置１でカレンダ画面要求情報が受信されると、表示制御部１０２は、カレンダ画面２００を表示部３１に表示させる。
【０１２２】
第２画面遷移ボタン４１３は、時限選択画面３００に画面を遷移する際に、利用者がタップするボタンである。第２画面遷移ボタン４１３が利用者によってタップされると、時限選択画面３００を要求する時限選択画面要求情報が、情報端末３の通信部３３を介して分析装置１に送信される。分析装置１で時限選択画面要求情報が受信されると、表示制御部１０２は、時限選択画面３００を表示部３１に表示させる。
【０１２３】
動的用第１表示領域４０１は、分析対象日表示領域４１４及びグラフ表示領域４１５を含む。
【０１２４】
分析対象日表示領域４１４には、時限選択画面３００が表示部３１に表示されている場合に利用者が指定した日を表す日付表示情報が表示される。本実施形態では、分析対象日表示領域４１４には、分析対象日として、利用者が指定した日を含む年月日、及び曜日が表示される。図５では、分析対象日表示領域４１４には、分析対象日として、“２０１７年０８月０７日（月）”が表示される。
【０１２５】
グラフ表示領域４１５には、利用者が指定した日を含む月に対応する月別高デマンド発生時間帯４１６、第１グラフ情報が表す棒グラフ４１７、第２グラフ情報が表す標準ロードカーブ４１８及び第３グラフ情報が表す折れ線グラフ４１９が表示される。ここで、棒グラフ４１７は、最上位設備のデマンド時限ごとの設備側デマンド値を表すグラフである。折れ線グラフ４１９は、指定された日における受変電設備６１が使用した(受電した)電力量の変化を表すグラフである。棒グラフ４１７、標準ロードカーブ４１８及び折れ線グラフ４１９は、縦軸を電力量、横軸を時刻として表示される。月別高デマンド発生時間帯４１６、棒グラフ４１７、標準ロードカーブ４１８及び折れ線グラフ４１９のそれぞれは、表示制御部１０２が決定した表示色で表示される。
【０１２６】
動的用第２表示領域４０２では、見出し情報４５０及びランキングテーブル４５１が表示される。動的用第２表示領域４０２では、利用者が指定した日での月別高デマンド発生時間帯４１６において、高デマンドである上位所定数（ここでは５つの）回路（設備）に関する情報が表示される。
【０１２７】
見出し情報４５０は、ランキングテーブル４５１が月別高デマンド発生時間帯４１６における高デマンドである上位所定数回路についてのランキングであることを表す情報である。
【０１２８】
ランキングテーブル４５１は、順位を表す番号（Ｎｏ．）４５２、回路名称４５３、出現率４５４、超過量平均４５５及び最大超過量４５６を含む。ランキングテーブル４５１は、利用者が指定した日に対応する日別ランキング情報に含まれる所定数の回路（設備）の情報（回路ＩＤ及び回路名称）、出現率、超過量平均及び最大超過量からなる組がソートされた結果の順に表示される。図５に示すランキングテーブル４５１では、回路ＩＤ及び当該回路ＩＤに対応する回路名称の組み合わせが回路名称４５３として表示される。ランキングテーブル４５１におけるＮｏ．１〜５の出現率４５４、超過量平均４５５及び最大超過量４５６は、利用者が指定した日に対応する日別ランキング情報に含まれる出現率、超過量平均及び最大超過量に、それぞれ対応する。ランキングテーブル４５１において、回路名称（回路）が表示される際に、利用者が指定した日に対応する関連情報が記憶部１３に記憶され、かつ関連情報に含まれる回路ＩＤに応じた回路名称は、リンクボタンとして表示される。
【０１２９】
ランキングテーブル４５１は、複数の回路名称に対してそれぞれに対応する複数のグラフ表示ボタン４５７を含む。グラフ表示ボタン４５７は、グラフ表示領域４１５において表示される棒グラフ４１７及び標準ロードカーブ４１８を、グラフ表示ボタン４５７に対応する棒グラフ及び標準ロードカーブに変更する際に、利用者によってタップされるボタンである。
【０１３０】
ランキングテーブル４５１において回路名称がリンクボタンとして表示される場合、当該回路名称に対応する“Ｎｏ．”、“出現率”、“超過量平均”、“最大超過量”及び“グラフ表示ボタン４５７”は、表示制御部１０２が決定した表示色（ここでは、赤色）で表示される。
【０１３１】
時限選択画面３００から動的分析画面４００へと遷移した場合には、棒グラフ４１７及び標準ロードカーブ４１８は、ランキングテーブル４５１で表示される最上位（Ｎｏ．１）の回路名称に対応するグラフである。利用者がランキングテーブル４５１においてＮｏ．２の回路名称に対応するグラフ表示ボタン４５７をタップすると、グラフ表示領域４１５において表示される棒グラフ４１７及び標準ロードカーブ４１８は、Ｎｏ．２の回路名称に対応するグラフへと変更される。例えば、図５では、最上位（Ｎｏ．１）の回路名称として“３−３  ３Ｆ  動力”が表示され、２番目（Ｎｏ．２）回路名称として“３−２  ２Ｆ  動力”が表示されている。回路名称“３−２  ２Ｆ  動力”のグラフ表示ボタン４５７がタップされると、グラフ表示領域４１５では、回路名称“３−２  ２Ｆ  動力”についての棒グラフ及び標準ロードカーブが表示される。
【０１３２】
（４．４）静的分析画面５００
動的分析画面４００が表示部３１に表示されている場合に利用者が第１タブ４１０又はランキングテーブル４５１でリンクボタンとして表示された回路名称をタップした場合、動的分析画面４００で表示された日を含む月の分析結果である動的分析画面４００へと遷移する。
【０１３３】
本実施形態の静的分析画面５００は、図６に示すように、第１タブ５１０及び第２タブ５１１、静的用第１示領域５０１及び静的用第２表示領域５０２を含む。
【０１３４】
第１タブ５１０には静的分析との名称が、第２タブ５１１には動的分析との名称が、それぞれ表示されている。第１タブ５１０及び第２タブ５１１は、分析結果の表示内容を選択するためのボタンとしての機能を有している。第１タブ５１０及び第２タブ５１１において選択されたタブと選択されていないタブとで、表示色が異なる。図６では、第１タブ５１０が選択され、第２タブ５１１が選択されていない状態、つまり静的分析の結果が表示されている状態を表している。
【０１３５】
静的用第１示領域５０１では、第１タブ５１０、第２タブ５１１及び画面遷移ボタン５１２が表示される。
【０１３６】
画面遷移ボタン５１２は、カレンダ画面２００に画面を遷移する際に、利用者がタップするボタンである。画面遷移ボタン５１２が利用者によってタップされると、カレンダ画面要求情報が、情報端末３の通信部３３を介して分析装置１に送信される。分析装置１でカレンダ画面要求情報が受信されると、表示制御部１０２は、カレンダ画面２００を表示部３１に表示させる。
【０１３７】
静的用第１示領域５０１は、メッセージ表示領域５１３及びグラフ表示領域５１４を含む。
【０１３８】
メッセージ表示領域５１３には、時限選択画面３００で利用者が指定した日を含む月（表示対象月）に関する第２月情報、つまりにカレンダ画面２００で利用者が指定した月に関する第２月情報を含むメッセージが表示される。本実施形態では、第２月情報は、“２０１７／０８／０１〜２０１７／０８／３１”を表している。要は、動的分析画面４００で表示された日を含む月の期間が第２月情報として表示される。
【０１３９】
グラフ表示領域５１４には、第４グラフ情報が表す円グラフ５１５、及び表示対象月に応じた月別ランキングテーブル５１６が表示される。
【０１４０】
月別ランキングテーブル５１６は、表示対象月における月別デマンド値の割合が多い上位所定数（５つ）の回路に関する情報及び残りの回路に関して1つにまとめた情報を含む。具体的には、月別ランキングテーブル５１６は、順位を表す番号（Ｎｏ．）５１７、回路名称５１８、デマンド合計値５１９及び割合５２０を含む。月別ランキングテーブル５１６では、第１テーブル情報に含まれる所定数の回路（設備）の情報（回路ＩＤ及び回路名称）、月別デマンド値及び月別デマンド割合からなる組がソートされた結果の順に番号５１７としてＮｏ．１〜５が表示される。図６では、回路ＩＤ及び当該回路ＩＤに対応する回路名称の組み合わせが月別ランキングテーブル５１６における回路名称５１８として表示される。ここで、月別ランキングテーブル５１６におけるＮｏ．１〜５のデマンド合計値５１９は月別ランキング情報に含まれる月別デマンド値に、Ｎｏ．１〜５の割合５２０は月別デマンド割合に、それぞれ対応する。
【０１４１】
月別ランキングテーブル５１６では、Ｎｏ．６が、残りの回路に関して1つにまとめた情報に対応する番号５１７として表示される。Ｎｏ．６の回路名称５１８として“その他回路の合計”“が表示される。さらに、Ｎｏ．６のデマンド合計値５１９として第１テーブル情報に含まれる月別残デマンド値が、Ｎｏ．６の割合５２０として月別ランキング情報に含まれる月別残デマンド割合が、それぞれ表示される。月別ランキングテーブル５１６では、Ｎｏ．１〜６のデマンド合計値の合計として月別ランキング情報に含まれる月別合計値が、割合の合計として１００％が、それぞれ月別ランキングテーブル５１６の最下部に表示される。
【０１４２】
グラフ表示領域５１４では、円グラフ５１５は、表示制御部１０２で決定された各表示色で表示される。さらに、月別ランキングテーブル５１６では、Ｎｏ．１〜６が、表示制御部１０２で決定された各表示色で表示される。また、円グラフ５１５の中心には、月別ランキング情報に含まれる月別合計値が表示される。
【０１４３】
静的用第２表示領域５０２では、見出し情報５５０が表示される。見出し情報５５０は、受電電力量が多いデマンド時限において、高デマンドである上位所定数回路についてのランキングであることを表す情報である。
【０１４４】
静的用第２表示領域５０２では、表示対象月おける第１〜第３デマンド時限のそれぞれにおいて、高デマンドである回路に関する情報が表示される。
【０１４５】
静的用第２表示領域５０２は、第１個別表示領域５５１、第２個別表示領域５５２及び第３個別表示領域５５３を含む。
【０１４６】
第１個別表示領域５５１には、第１デマンド時限において、高デマンドである回路に関する情報が表示される。
【０１４７】
第１個別表示領域５５１は、第１表示領域５６１を含む。第１表示領域５６１には、第１デマンド時限に対応する個別ランキング情報に含まれる第１デマンド時限に応じた時間帯、受電電力量の値を表す情報含むメッセージが表示される。第１デマンド時限に応じた時間帯として“２０１７／０８／０９  １５：３０−１６：００”が、受電電力量の値を表す情報として“受電電力量：４１．０５ｋＷ”が含まれるメッセージが、第１表示領域５６１に表示される。
【０１４８】
第１個別表示領域５５１には、第５グラフ情報で表される円グラフ５６２が、第２デマンド時限に対応する第２テーブル情報で表されるテーブルとして第１個別ランキングテーブル５６３が、それぞれ表示される。
【０１４９】
第１個別ランキングテーブル５６３は、第１デマンド時限において個別デマンド値の割合が多い上位所定数（５つ）の回路に関する情報及び残りの回路に関して1つにまとめた情報を含む。具体的には、第１個別ランキングテーブル５６３は、順位を表す番号（Ｎｏ．）、回路名称、デマンド値及び割合を含む。第１個別ランキングテーブル５６３では、第２テーブル情報に含まれる所定数の回路（設備）の情報（回路ＩＤ）、個別デマンド値及び個別デマンド割合からなる組がソートされた結果の順にＮｏ．１〜５に表示される。図６では、回路ＩＤ及び当該回路ＩＤに対応する回路名称の組み合わせが第１個別ランキングテーブル５６３における回路名称として表示される。ここで、第１個別ランキングテーブル５６３におけるＮｏ．１〜５のデマンド値は第１デマンド時限に対応する個別ランキング情報に含まれる個別デマンド値に、Ｎｏ．１〜５の割合は個別デマンド割合に、それぞれ対応する。
【０１５０】
第１個別ランキングテーブル５６３では、Ｎｏ．６として、残りの回路に関して1つにまとめた情報が表示される。Ｎｏ．６の回路名称として“その他回路の合計”“が表示される。さらに、Ｎｏ．６のデマンド値として第２テーブル情報に含まれる個別残デマンド値が、Ｎｏ．６の割合として第２テーブル情報に含まれる個別残デマンド割合が、それぞれ表示される。
【０１５１】
第１個別ランキングテーブル５６３において、回路ＩＤが表示される際に、利用者が指定した日に対応する関連情報が記憶部１３に記憶され、かつ当該回路ＩＤが関連情報に含まれる場合には、当該回路ＩＤはリンクボタンとして表示される。第１個別ランキングテーブル５６３において回路ＩＤがリンクボタンとして表示される場合、当該回路ＩＤの他、当該回路名称に対応する“Ｎｏ．”、“デマンド値”及び“割合”は、表示制御部１０２が決定した表示色（ここでは、赤色）で表示される。
【０１５２】
円グラフ５６２は、表示制御部１０２で決定された各表示色で表示される。さらに、第１個別ランキングテーブル５６３では、Ｎｏ．１〜６が、表示制御部１０２で決定された各表示色で表示される。
【０１５３】
第２個別表示領域５５２には、第２デマンド時限において、高デマンドである回路に関する情報が表示される。
【０１５４】
第２個別表示領域５５２は、第２表示領域５７１を含む。第２表示領域５７１には、第２デマンド時限に対応する個別ランキング情報に含まれる第２デマンド時限に応じた時間帯、受電電力量の値を表す情報を含むメッセージが表示される。第２デマンド時限に応じた時間帯として“２０１７／０８／０９  １６：００−１６：３０”が、受電電力量の値を表す情報として“受電電力量：４０．１９ｋＷ”が含まれるメッセージが、第２表示領域５７１に表示される。
【０１５５】
第２個別表示領域５５２には、第６グラフ情報で表される円グラフ５７２が、第２デマンド時限に対応する第３テーブル情報で表されるテーブルとして第２個別ランキングテーブル５７３が、それぞれ表示される。
【０１５６】
第２個別ランキングテーブル５７３は、第２デマンド時限において個別デマンド値の割合が多い上位所定数（５つ）の回路に関する情報及び残りの回路に関して1つにまとめた情報を含む。具体的には、第２個別ランキングテーブル５７３は、第１個別ランキングテーブル５６３と同様に、順位を表す番号（Ｎｏ．）、回路名称、デマンド値及び割合を含む。第２個別ランキングテーブル５７３では、第３テーブル情報に含まれる所定数の回路（設備）の情報（回路ＩＤ）、個別デマンド値及び個別デマンド割合からなる組がソートされた結果の順にＮｏ．１〜５に表示される。
【０１５７】
第２個別ランキングテーブル５７３では、Ｎｏ．６として、残りの回路に関して1つにまとめた情報が表示される。Ｎｏ．６の回路名称として“その他回路の合計”“が表示される。さらに、Ｎｏ．６のデマンド値として第３テーブル情報に含まれる個別残デマンド値が、Ｎｏ．６の割合として第３テーブル情報に含まれる個別残デマンド割合が、それぞれ表示される。
【０１５８】
第２個別ランキングテーブル５７３において、回路ＩＤが表示される際に、利用者が指定した日に対応する関連情報が記憶部１３に記憶され、かつ当該回路ＩＤが関連情報に含まれる場合には、当該回路ＩＤはリンクボタンとして表示される。第２個別ランキングテーブル５７３において回路ＩＤがリンクボタンとして表示される場合、当該回路ＩＤの他、当該回路名称に対応する“Ｎｏ．”、“デマンド値”及び“割合”は、表示制御部１０２が決定した表示色（ここでは、赤色）で表示される。
【０１５９】
円グラフ５７２は、表示制御部１０２で決定された各表示色で表示される。さらに、第２個別ランキングテーブル５７３では、Ｎｏ．１〜６が、表示制御部１０２で決定された各表示色で表示される。
【０１６０】
第３個別表示領域５５３には、第３デマンド時限において、高デマンドである回路に関する情報が表示される。
【０１６１】
第３個別表示領域５５３は、第３表示領域５８１を含む。第３表示領域５８１には、第３デマンド時限に対応する個別ランキング情報に含まれる第３デマンド時限に応じた時間帯、受電電力量の値を表す情報を含むメッセージが表示される。第３デマンド時限に応じた時間帯として“２０１７／０８／２２  １４：３０−１５：００”が、受電電力量の値を表す情報として“受電電力量：３９．１０ｋＷ”が含まれるメッセージが、第３表示領域５８１に表示される。
【０１６２】
第３個別表示領域５５３には、第７グラフ情報で表される円グラフ５８２が、第３デマンド時限に対応する第４テーブル情報で表されるテーブルとして第３個別ランキングテーブル５８３が、それぞれ表示される。
【０１６３】
第３個別ランキングテーブル５８３は、第３デマンド時限において個別デマンド値の割合が多い上位所定数（５つ）の回路に関する情報及び残りの回路に関して１つにまとめた情報を含む。具体的には、第３個別ランキングテーブル５８３は、第１個別ランキングテーブル５６３と同様に、順位を表す番号（Ｎｏ．）、回路名称、デマンド値及び割合を含む。第３個別ランキングテーブル５８３では、第４テーブル情報に含まれる所定数の回路（設備）の情報（回路ＩＤ）、個別デマンド値及び個別デマンド割合からなる組がソートされた結果の順にＮｏ．１〜５に表示される。
【０１６４】
第３個別ランキングテーブル５８３では、Ｎｏ．６として、残りの回路に関して1つにまとめた情報が表示される。Ｎｏ．６の回路名称として“その他回路の合計”“が表示される。さらに、Ｎｏ．６のデマンド値として第４テーブル情報に含まれる個別残デマンド値が、Ｎｏ．６の割合として第４テーブル情報に含まれる個別残デマンド割合が、それぞれ表示される。
【０１６５】
第３個別ランキングテーブル５８３において、回路ＩＤが表示される際に、利用者が指定した日に対応する関連情報が記憶部１３に記憶され、かつ当該回路ＩＤが関連情報に含まれる場合には、当該回路ＩＤはリンクボタンとして表示される。第３個別ランキングテーブル５８３において回路ＩＤがリンクボタンとして表示される場合、当該回路ＩＤの他、当該回路名称に対応する“Ｎｏ．”、“デマンド値”及び“割合”は、表示制御部１０２が決定した表示色（ここでは、赤色）で表示される。
【０１６６】
円グラフ５８２は、表示制御部１０２で決定された各表示色で表示される。さらに、第３個別ランキングテーブル５８３では、Ｎｏ．１〜６が、表示制御部１０２で決定された各表示色で表示される。
【０１６７】
ここで、第１デマンド時限〜第３デマンド時限は、受変電設備６１に対するデマンド値が高デマンドである複数のデマンド時限のうち第１受電電力量〜第３受電電力量のそれぞれに対応している。つまり、第１個別表示領域５５１、第２個別表示領域５５２及び第３個別表示領域５５３では、目標値を超えた期間（デマンド時限）において電力を使用（消費）した回路（設備）の内訳が表示される。言い換えると、第１個別表示領域５５１、第２個別表示領域５５２及び第３個別表示領域５５３では、目標値を超えた期間（デマンド時限）において使用された電力の電力情報の内訳が表示される。
【０１６８】
（５）変形例
以下に、変形例について列記する。なお、以下に説明する変形例は、上記実施形態と適宜組み合わせて適用可能である。
【０１６９】
上記実施形態において、動的分析画面４００のグラフ表示領域４１５では、月別高デマンド発生時間帯４１６、棒グラフ４１７、標準ロードカーブ４１８及び折れ線グラフ４１９が表示される。ここで、利用者の操作に応じて折れ線グラフ４１９の表示及び非表示を切り替えてもよい。利用者が、グラフ表示領域４１５をタップすることで、折れ線グラフ４１９の表示及び非表示を切り替える。例えば、図５に示すように、折れ線グラフ４１９がグラフ表示領域４１５に表示されている場合に、利用者がグラフ表示領域４１５をタップする。このとき、グラフ表示領域４１５では、図７に示すように、折れ線グラフ４１９が非表示になり、月別高デマンド発生時間帯４１６、棒グラフ４１７及び標準ロードカーブ４１８のみが表示される。このとき、受変電設備６１の受電電力量の変化を表す折れ線グラフ４１９が表示されなくなるので、月別高デマンド発生時間帯４１６、棒グラフ４１７及び標準ロードカーブ４１８を拡大して表示することが可能となる。月別高デマンド発生時間帯４１６、棒グラフ４１７及び標準ロードカーブ４１８を拡大表示することで、棒グラフ４１７及び標準ロードカーブ４１８の変化の詳細を確認することができる。さらに、図７の表示状態において、利用者がグラフ表示領域４１５をタップすると、図５の表示に戻る。
【０１７０】
上記実施形態において、分析部１０１による分析が未実施である月が存在する場合、計測された計測値のデータが少ないため分析部１０１による分析ができない月が存在する場合、及び分析部１０１による分析が不要である月が存在する場合がある。分析装置１は、カレンダ画面２００において、これらの場合が判別できる表示色で、対称となる月を表示部３１に表示してもよい。
【０１７１】
上記実施形態において、高デマンドが発生している所定の期間（デマンド時限又は日）と高デマンドが発生していない所定の期間の表示態様を表示色で異ならせる構成としたが、この構成に限定されない。高デマンドが発生している所定の期間（デマンド時限又は日）と高デマンドが発生していない所定の期間の表示態様を、文字、図形等で異ならせてもよい。
【０１７２】
上記実施形態では、表示制御部１０２は、情報端末３の表示部３１に表示する各画面を作成する構成としたが、この構成に限定されない。表示制御部１０２は、情報端末３に所望の表示画面を表示させるための画面情報を作成してもよい。例えば、情報端末３が表示画面を表示するためのアプリケーションを有していれば、画面情報はアプリケーションと共同して表示画面を表示するためのデータであってもよい。また例えば、情報端末３のアプリケーションが表示画面の画像データの全てを有していれば、画面情報は、画像データにより表示画面を構成するためのデータであってもよい。あるいは、情報端末３のアプリケーションが表示画面の画像データの一部を有していれば、画面情報は、画像データの残りの部分であってもよい。
【０１７３】
上記実施形態において、第１グラフ情報は、棒グラフを表すとしたが、折れ線グラブを表す情報であってもよい。この場合、動的分析画面４００のグラフ表示領域４１５で表示される回路（設備）に関するグラフは折れ線グラフとなる。
【０１７４】
上記実施形態において、動的分析画面４００のグラフ表示領域４１５には、複数の回路（設備）のうち１つの回路に対応する棒グラフ及び標準ロードカーブが表示される構成としたが、この構成に限定されない。動的分析画面４００のグラフ表示領域４１５には、２つ以上の回路の各デマンド時限の設備側デマンド値の合計に対応する棒グラフ、及び当該２つ以上の回路で使用（消費）された電力量の合計から得られる標準ロードカーブが表示されてもよい。
【０１７５】
上記実施形態では、施設５には複数のコントローラ２１が設けられる構成としたが、この構成に限定されない。１つのコントローラ２１が、施設５に設けられてもよい。つまり、施設５には、１つ以上のコントローラ２１が設けられていればよい。
【０１７６】
上記実施形態では、分析装置１と蓄積サーバ２とは個別の装置とする構成としたが、この構成に限定されない。分析装置１と蓄積サーバ２とを１つの装置として構成してもよい。
【０１７７】
上記実施形態は、本開示の様々な実施形態の一つに過ぎない。上記実施形態は、本開示の目的を達成できれば、設計等に応じて種々の変更が可能である。また、分析システム１０（分析装置１）及び管理システム１０００と同様の機能は、表示方法、コンピュータプログラム、又はプログラムを記録した記録媒体等で具現化されてもよい。一態様に係る分析システム１０の表示方法は、情報端末３が有する表示部３１に情報を表示する表示方法である。表示方法は、表示ステップを有する。表示ステップは、単位時間以上の時間長さを有する複数の表示対象期間を表示部３１に表示させ、かつ  複数の表示対象期間のうち使用（消費）された電力が目標値を超えた表示対象期間については、他の表示対象期間の表示態様とは異なる表示態様で表示部３１に表示させる。一態様に係るプログラムは、コンピュータシステムを、上述した表示方法又は表示システムとして機能させるためのプログラムである。
【０１７８】
本開示における分析システム１０（分析装置１）、管理システム１０００又は表示方法の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における分析システム１０、管理システム１０００又は表示方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１７９】
コンピュータシステムである分析システム１０（分析装置１）は、１又は複数のコンピュータで構成されるシステムであってもよい。例えば、分析システム１０の少なくとも一部の機能は、クラウド（クラウドコンピューティング）によって実現されてもよい。
【０１８０】
（まとめ）
以上説明したように、第１の態様の表示方法は、情報端末（３）が有する表示部（３１）に情報を表示する表示方法である。表示方法は、表示ステップを含む。表示ステップは、単位時間以上の時間長さを有する複数の表示対象期間を表示部（３１）に表示させ、かつ複数の表示対象期間のうち使用された電力が目標値を超えた表示対象期間については、他の表示対象期間の表示態様とは異なる表示態様で表示部（３１）に表示させる。
【０１８１】
この表示方法によると、表示対象期間において使用された電力が目標値を超えた場合の表示態様と、超えていない場合の表示態様とは異なっている。そのため、表示対象期間において使用された電力の値が高い値であるか否かを容易に確認することができる。
【０１８２】
第２の態様の表示方法では、第１の態様において、表示ステップは、複数の表示対象期間を表示部（３１）に表示させる際に、複数の表示対象期間のそれぞれにおいて使用された電力の大きさを反映する情報は表示内容に含まない。
【０１８３】
この表示方法によると、複数の表示対象期間のそれぞれにおいて使用された電力の大きさを反映する情報は表示内容に含まないので、使用された電力の大きさを確認することなく、表示対象期間での使用された電力の値が高い値であるか否かを容易に確認することができる。
【０１８４】
第３の態様の表示方法では、第１又は第２の態様において、表示対象期間は、日単位である。
【０１８５】
この表示方法によると、使用された電力の値が高い値であるか否かを日単位で確認することができる。
【０１８６】
第４の態様の表示方法では、第１又は第２の態様において、表示対象期間は、複数の日のそれぞれを表す複数の日情報と、複数の時間のそれぞれを表す複数の時間情報との組み合わせである。表示ステップは、複数の日情報と複数の時間情報とを表示部（３１）にマトリックス表示させ、使用された電力が目標値を超えた時間帯については、他の時間帯の表示態様とは異なる表示態様で表示部（３１）に表示させる。
【０１８７】
この表示方法によると、使用された電力の値が高い値であるか否かを、各日において時間単位で確認することができる。
【０１８８】
第５の態様の表示方法では、第４の態様において、複数の日情報と複数の時間情報とがマトリックス表示される際に、複数の日情報と複数の時間情報との組み合わせのうち、使用された電力が目標値を超えた時間帯に応じた日情報と時間情報との組み合わせに相当するマトリックス上の位置における表示態様は、リンクボタンとなっている。当該リンクボタンは、当該日情報が表す日における電力の使用の詳細表示のための画面へ遷移するためのボタンである。
【０１８９】
この表示方法によると、使用された電力の値が高い値である時間帯を含む日で使用された電力の詳細を確認することができる。
【０１９０】
第６の態様における表示方法では、第１〜第５の態様において、複数の表示対象期間が表示された画面において、所定の操作手順で画面遷移の操作が行われると、表示ステップは、操作で指定された日における単位時間ごとに使用された電力の大きさを、時系列に並べて表示部（３１）に表示させる。
【０１９１】
この表示方法によると、単位時間ごとに使用された電力の大きさの推移を確認することができる。
【０１９２】
第７の態様における表示方法では、第６の態様において、表示ステップは、指定された日での単位時間ごとに使用された電力の大きさを表示する際に、指定された日を含む月において単位時間ごとに使用された電力に基づいて得られた標準ロードカーブ（４１８）を、表示部（３１）にさらに表示させる。
【０１９３】
この表示方法によると、単位時間ごとに使用された電力と標準ロードカーブ（４１８）とを比較することができるので、単位時間ごとに使用された電力の量が多いが否かを利用者は判断することができる。
【０１９４】
第８の態様の表示方法では、第７の態様において、操作手順で指定された日での単位時間ごとに使用された電力の大きさ、及び標準ロードカーブ（４１８）は、電力を使用する回路ごとに得られる。
【０１９５】
この表示方法によると、各回路について、単位時間ごとに使用された電力の量が多いが否かを利用者は判断することができる。
【０１９６】
第９の態様の表示方法では、第１〜第８のいずれかの態様において、表示ステップは、所定の期間内において使用された電力量に基づいた複数の回路のランキングを、表示部（３１）にさらに表示させる。
【０１９７】
この表示方法によると、所定の期間において電力を多く使用する回路を利用者が知ることができる。
【０１９８】
第１０の態様の表示方法では、第９の態様において、所定の期間は、前記単位時間ごとのデマンド値に基づいて定められる期間である。
【０１９９】
この表示方法によると、例えば所定の期間が高デマンドが発生しやすい期間である場合には、当該所定の期間において電力を多く使用する回路、つまり高デマンドの発生の原因となる回路を利用者が知ることができる。
【０２００】
第１１の態様の表示方法では、第９の態様において、表示ステップは、所定の期間としての第１期間に含まれ、目標値を超える第２期間において使用された電力の電力情報の内訳を、表示部（３１）にさらに表示させる。
【０２０１】
この表示方法によると、第２期間において使用された電力の電力情報を確認することで、第２期間において電力を多く使用する回路を利用者が知ることができる。
【０２０２】
第１２の態様のプログラムは、コンピュータに、第１〜第１１のいずれかの態様の表示方法を、実行させるためのプログラムである。
【０２０３】
このプログラムによると、表示対象期間において使用された電力の値が高い値であるか否かを容易に確認することができる。
【０２０４】
第１３の態様の分析システム（１０）は、情報端末が有する表示部に情報を表示する。分析システム（１０）は、分析部（１０１）と表示制御部（１０２）とを備える。分析部（１０１）は、施設（５）に設けられた回路（負荷機器５０）ごとに使用される電力が目標値を超えたか否かを分析する。表示制御部（１０２）は、単位時間以上の時間長さを有する複数の表示対象期間を表示部（３１）に表示させ、かつ複数の表示対象期間のうち、使用された電力が目標値を超えた回路が存在する表示対象期間については、他の表示対象期間の表示態様とは異なる表示態様で表示部（３１）に表示させる。
【０２０５】
この構成によると、表示対象期間において使用された電力の値が高い値であるか否かを容易に確認することができる。
【０２０６】
第１４の態様の管理システム（６）は、第１３の態様の分析システム（１０）と、施設（５）で使用される電力を計測する計測システム（２０）と、を備える。
【０２０７】
この構成によると、表示対象期間において使用された電力の値が高い値であるか否かを容易に確認することができる。
【符号の説明】
【０２０８】
１    分析装置
３    情報端末
１０    分析システム
２０    計測システム
５０    負荷機器（回路）
１０１    分析部
１０２    表示制御部
４１８    標準ロードカーブ
１０００    管理システム
【図１】
2020005425.tif 000003
【図２】
2020005425.tif 000004
【図３】
2020005425.tif 000005
【図４】
2020005425.tif 000006
【図５】
2020005425.tif 000007
【図６】
2020005425.tif 000008
【図７】
2020005425.tif 000009